(57)【特許請求の範囲】
【請求項１】
熱発泡剤含有粘着剤層が少なくとも基材の一方面に形成された両面粘着テープまたは両面粘着シートと、
前記熱発泡剤含有粘着剤層を加熱して発泡させる発熱体と、
前記粘着テープまたはシート、および、発熱体を介して締結される一対の被着体を備え、
前記発熱体は、基材の表裏面に形成される粘着剤層の少なくとも一方に含有させた金属粉によって構成した
ことを特徴とする解体構造。
【請求項２】
被着体同士の締結部分に解体構造を有する非電気機器であって、
熱発泡剤含有粘着剤層が少なくとも基材の一方面に形成される両面粘着テープまたは両面粘着シートと、
前記基材の表裏面に形成される粘着剤層の少なくとも一方に含有させた金属粉によって構成した発熱体を締結し合う被着体同士の間に備えた
ことを特徴とする非電気機器。
【発明の詳細な説明】
【技術分野】
【０００１】
本発明は、液晶表示装置、各種テレビジョン受像機、冷蔵庫などの電気機器やプリンタのトナーのような封止パッケージなどを含む非電気機器の締結部分を容易に解体する解体構造および解体構造を有する非電気機器に関する。
【背景技術】
【０００２】
近年、再生資源の再利用の要求が高まる傾向にあり、電気機器および非電気機器を含む種々の分野において製造された物品を分解して構成材料ごとに分別回収している。
【０００３】
例えば、陰極線管テレビジョン受像機、液晶表示装置、液晶テレビジョン受像機、およびプラズマテレビジョン受像機などは、外装を構成する前カバーと後カバーとを締結して成る筐体、および、表示部分である陰極線管や表示パネル、電源や制御回路などを適所に複数本のネジで締結している（特許文献１を参照）。
【先行技術文献】
【特許文献】
【０００４】
【特許文献１】特開２００６−３０４０７９号公報の図１
【発明の開示】
【発明が解決しようとする課題】
【０００５】
しかしながら、従来の締結構造では、廃棄回収される機器に対して作業者がドライバを利用して１本ずつネジを緩めて締結を解除しなければならず、分解作業が煩雑であるとった不都合が生じている。
【０００６】
本発明はこのような事情に鑑みてなされたものであって、締結された被着体同士を容易に解体することのできる解体構造および解体構造を有する非電気機器を提供することを主たる目的とする。
【課題を解決するための手段】
【０００７】
第１の発明は、熱発泡剤含有粘着剤層が少なくとも基材の一方面に形成された両面粘着テープまたは両面粘着シートと、
前記熱発泡剤含有粘着剤層を加熱して発泡させる発熱体と、
前記粘着テープまたはシート、および、発熱体を介して締結される一対の被着体を備え、
前記発熱体は、基材の表裏面に形成される粘着剤層の少なくとも一方に含有させた金属粉によって構成したことを特徴とする。
【０００８】
（作用・効果）  この構造によれば、両面粘着テープまたは両面粘着シートによって締結されている被着体同士の間において、当該両面粘着テープなどを発熱体などで加熱することにより、粘着剤層に含有されている熱発泡剤が熱膨張および発泡させられる。当該熱発泡剤の発泡などにより粘着剤層が膨張変形して被着体との接触界面に凹凸が生じて粘着力が喪失し、締結されていた被着体同士を容易に分解することができる。
【０００９】
特に、上記構造において、発熱体は、両面粘着テープなどの粘着剤層に含有させた金属粉によって構成されている。
【００１０】
したがって、電磁コイルを備えた磁気ヘッドを発熱体に近接させて電磁誘導により熱発泡剤含有粘着剤層を誘導加熱すればよい。
【００１１】
第２の発明は、被着体同士の締結部分に解体構造を有する非電気機器であって、
熱発泡剤含有粘着剤層が少なくとも基材の一方面に形成される両面粘着テープまたは両面粘着シートと、
前記基材の表裏面に形成される粘着剤層の少なくとも一方に含有させた金属粉によって構成した発熱体を締結し合う被着体同士の間に備えたことを特徴とする。
【００１２】
（作用・効果）  この構造を有する非電気機器によれば、電磁コイルを備えた磁気ヘッドを被着体の締結部に近接させることにより、粘着剤層に含有されている金属粉が誘導加熱される。当該誘導加熱に伴って、粘着剤層に含有される熱発泡剤が加熱されて膨張および発砲し、粘着剤層の粘着力が喪失する。したがって、両面粘着テープまたは両面粘着シートにより締結されていた被着体同士を容易に解体することができる。
【発明の効果】
【００１３】
以上のように本発明の解体構造および解体構造を有する非電気機器によると、熱発泡剤含有粘着剤層を有する両面粘着テープまたは両面粘着シートおよび発熱体を介在させて被着体同士を締結しておくことにより、当該粘着剤層を発熱体で加熱すれば熱発泡剤が膨張および発泡されて粘着剤層の粘着力が喪失させられるので、締結されている被着体同士を容易に解体することができる。
【図面の簡単な説明】
【００１４】
【図１】液晶テレビジョン受像機の正面分解斜視図である。
【図２】液晶テレビジョン受像機の裏面斜視図である。
【図３】図２に示す前カバー部分のＡ−Ａ矢視断面図である。
【図４】分解構造を示すブロック図である。
【図５】液晶テレビジョン受像機の分解工程を示すフローチャートである。
【図６】別実施例の両面粘着テープの構造を示す断面図である。
【発明を実施するための最良の形態】
【００１５】
以下、図面を参照して本発明の実施例を説明する。
【００１６】
図１は、電気機器である液晶テレビジョン装置の構造を示す分解斜視図である。
【００１７】
液晶テレビジョン受像機１は、前カバー２Ａと後カバー２Ｂからなる筐体２、当該筐体２内に収納される液晶表示装置３、スピーカユニット４、液晶表示装置３やスピーカユニット４を駆動制御する制御回路および電源回路を含む基板５、筐体２の下部に設けられて載置面に載置されるスタンド６から構成されている。
【００１８】
前カバー２Ａは、矩形状をしており、その内側に液晶パネル７を露呈するパネル開口８が形成されている。パネル開口８の周りには、当該液晶パネル７を囲う前面パネル９を有する。また、前カバー２Ａの下部内側にスピーカユニット４の取付部が設けられており、スピーカの対向面に主力用のスリット１０が形成されている。さらに、前カバー２Ａの裏面角部には、後カバー２Ｂの位置決めをするガイド１１が立設されている。
【００１９】
後カバー２Ｂは矩形状の箱体であり、前カバー２Ａと締結して液晶表示装置３、スピーカユニット４、基板５、およびスタンド６の頂部を収納しつつ、前カバー２Ａと締結するよう構成されている。また、後カバー２Ｂの角部には、前カバー２Ａのガイド１１が嵌合するガイド穴１２が形成されている。
【００２０】
液晶表示装置３は、図２に示すように、液晶パネル７と当該液晶パネル７を囲うバックライトユニットを備えたシャーシ１３とから構成されている。なお、液晶表示装置３の裏面には、金属性のバックシャーシ１４が締結され、当該バックシャーシ１４にスタンド６がネジ固定される。また、バックシャーシ１４の裏面に基板５が締結される。
【００２１】
次に、前カバー２Ａと後カバー２Ｂの締結構造について説明する。図３は、両カバー２Ａ、２Ｂが締結した状態を示す断面図である。
【００２２】
前カバー２Ａの締結面に沿って矩形状の段部１５が形成されている。当該段部１５の底面から面状発熱体１６、両面粘着テープ１７の順に貼り付けられた積層構造になっている。
【００２３】
段部１５の底面から段部外側の凸部１８までの高さは、面状発熱体１６と両面粘着テープ１７を積層構造にしたときの表面高さより僅かに低くなるように設定されている。つまり、両カバー２Ａ、２Ｂを押圧して両面粘着テープ１７に締結したとき、当該両面粘着テープ１７が弾性変形して段部１５の高さと同じ高さになるように設定されている。したがって、両カバー２Ａ、２Ｂの接合面に隙間が生じないように構成されている。
【００２４】
面状発熱体１６は、ＰＥＴなどのベースフィルムに塗布した接着剤層にアルミニウムななどの蛇行形状の金属箔１９を貼り合わせ、さらにその表面にカバーフィルムを貼り合わせたものである。また、ベースフィルムの裏面に熱硬化型の粘着剤層２０が形成されており、前カバー２Ａに締結されるように構成されている。
【００２５】
また、面状発熱体１６は、図４に示すように、コントローラ２４を介して電源回路２６を備えた基板５と通電可能に接続されている。
【００２６】
両面粘着テープ１７は、例えば、加熱発泡型再剥離性アクリル系粘着テープであり、基材２１の表裏面に異なる温度で熱発泡する熱発泡剤含有粘着剤層２２、２３が形成されている。本実施例の場合、面状発熱体１６と密着している熱発泡剤含有粘着剤層２２に含有される熱発泡剤の発泡温度を熱発泡剤含有粘着剤層２３の熱発泡剤の発泡温度よりも高くしてある。
【００２７】
熱発泡剤含有粘着剤層２２、２３は、熱発泡剤を含有するアクリル系粘着剤による層であれば特に限定されない。例えば、ベースポリマーとしてアクリル系ポリマーを含有している。
【００２８】
次に、上記液晶テレビジョン受像機１の解体を図５に示すフローチャートに沿って説明する。
【００２９】
図４に示すように、液晶テレビジョン受像機１に解体専用の操作装置２５を接続するとともに電力を供給する。作業者は、解体対象物を操作装置２５から選択して設定することにより、前後カバー２Ａ、２Ｂの締結に使用される両面粘着テープ１７の熱発泡剤の発泡温度と発泡が完了するまでの時間が予め記憶された当該操作装置２５のデータベースから抽出される（ステップＳ１）。
【００３０】
当該抽出データを操作装置２５から液晶テレビジョン受像機１内のコントローラ２４に送信すると、コントローラ２４が基板５の電源回路を作動制御して面状発熱体１６に電力供給を開始する（ステップＳ２）。
【００３１】
面状発熱体１６への電力供給開始に伴って、面状発熱体１６の温度検出用のセンサが作動し、リアルタイムに温度を検出してコントローラ２４に送信する。コントローラ２４は、受信した温度情報に基づいて電源回路を操作して所定の温度を維持するようにフィードバック制御を行う。このとき、低温発泡側の熱発泡剤含有粘着剤層２３の加熱を開始する。
【００３２】
同時に、コントローラ２４は、低温発泡側の当該粘着層２３に対して予め設定された加熱時間の終了時点までをタイマカウントする（ステップＳ３）。当該加熱過程で、熱発泡剤含有粘着剤層２３中の熱発泡剤が膨張および発泡して当該熱発泡剤含有粘着剤層２３が膨張変形することにより、後カバー２Ｂとの両締結界面が凹凸変形してゆく。加熱終了時点に達すると、当該締結面での熱発泡剤含有粘着剤層２３の粘着力が喪失しているので、後カバー２Ｂは、当該熱発泡剤含有粘着剤層２３から分離解体可能な状態になる。
【００３３】
続いて当該コントローラ２４は、高温発泡側の熱発泡剤含有粘着剤層２２に応じた加熱温度となるように電源回路を操作し、予め設定された加熱時間の終了時点までをタイマカウントする（ステップＳ４）。当該加熱過程で、熱発泡剤含有粘着剤層２２と同様に熱発泡剤の膨張および発泡が生じて熱発泡剤含有粘着剤層２２が膨張変形する。したがって、前カバー２Ａから当該両面粘着テープ１７を分離可能にする。
【００３４】
熱発泡剤含有粘着剤層２２の加熱時間が経過すると、コントローラ２４は、面状発熱体１６への電力供給を終了させる。この状態で作業者は、液晶テレビジョン受像機１の電力供給を停止するとともに、操作装置２５の接続を解除し、前後カバー２Ａ、２Ｂを分離する（ステップＳ５）。
【００３５】
以上で、液晶テレビジョン受像機１の前カバー２Ａと後カバー２Ｂの分離解体が完了する。
【００３６】
上述のように、被着体である前カバー２Ａと後カバー２Ｂの締結間に熱発泡剤含有粘着剤層２２、２３を有する両面粘着テープ１７と、当該両面粘着テープ１７と直接に接触する面状発熱体１６を介在させて締結した構造にしておくことにより、当該面状発熱体１６を加熱するだけで、両面粘着テープ１７の粘着力を喪失させることができるので、被着体である前後カバー２Ａ、２Ｂを容易に解体することができる。
【００３７】
本発明は上述した実施例のものに限らず、次のように変形実施することもできる。
【００３８】
（１）上記実施例では、被着体である筐体内に電源を備えた装置を例にとって説明したが、電源を内部に備えていない電気機器および非電気機器などの場合、次のように構成すればよい。例えば、機器本体に電力供給用の外部接続端子を装備し、当該外部接続端子に接続された電源を利用してガバー部材や構成部材同士の締結間に介在させた面状発熱体に電力を供給し、熱発泡剤含有粘着剤層を加熱するように構成すればよい。なお、この構成において、操作装置を介して機器本体に電力を供給させ、当該操作装置で加熱温度や加熱時間を制御するように構成すればよい。
【００３９】
別実施形態として、面状発熱体１６の構成を両面粘着テープ１７の基材２１または粘着剤層２２、２３に持たせた構成にしてもよい。この構成の場合、面状発熱体として機能する基材２７は、通電により発熱する特性を有すれば特に限定されるものではなく、例えば、図６に示すように、金属箔２８（各種金属フィルム）、電熱線[例えばニクロム線（ニッケルクロム系合金の金属線）]、鉄クロム系合金の金属線などの電気抵抗の大きい金属線などを樹脂フィルム２９中に蛇行配線したもの、金属箔を樹脂フィルム中に配線したもの、あるいは導電性カーボンのような導電性粒子を樹脂に練りこんだ導電性樹脂などがあげられる。
【００４０】
当該構成の場合、電力を発熱体に直接に供給するのではなく、電磁コイルを有する磁気ヘッドを被着体同士の締結部分に近接させて電磁誘導により発熱体を非接触で電磁加熱させて熱発泡剤含有粘着剤層２２、２３の熱発泡剤を膨張または発泡させて粘着剤層の粘着力を喪失させる。したがって、当該構成においても、上記実施例同様に、被着体同士を容易に解体することができる。
【００４１】
（２）上記実施例では、液晶テレビジョン受像機を例にとって説明したが、当該装置に限定されるものではなく、電源を内蔵した電気機器あるいは電源を内蔵しない電気機器、および締結の必要な構造物である非電気機器のいずれにも上記分解構造および分解方法を好適に適用することができる。
【００４２】
（３）上記各実施例では、両面粘着テープ１７を例にとって説明したが、両面粘着シートであってもよい。両面粘着シートを利用することにより、前後カバー２Ａ、２Ｂのように締結面積の狭いところに限らず、液晶パネル７とバックシャーシのように接触面積の広い箇所に適用することができる。したがって、両面粘着テープと両面粘着シートを締結箇所の条件において適宜に使い分けることにより、締結構造を有するあらゆる箇所に本発明の解体構造を好適に適用することができる。
【符号の説明】
【００４３】
１  …  液晶テレビジョン受像機
２  …  筐体
２Ａ  …  前カバー
２Ｂ  …  後カバー
１５  …  段部
１６  …  面状発熱体
１７  …  両面粘着テープ
２２、２３  …  熱発泡剤含有粘着剤層
【図１】
0005525017.tif 000002
【図２】
0005525017.tif 000003
【図３】
0005525017.tif 000004
【図４】
0005525017.tif 000005
【図５】
0005525017.tif 000006
【図６】
0005525017.tif 000007